(57)【要約】【課題】  取付強度を確保し、かつ十分な放音効果を確保できる電子楽器を提供する。【解決手段】  第１、第２スピーカ３、４の上側に配置されている天板１２と、第１、第２スピーカ３、４の前側かつ天板１２の下側に配置されている上前板１３と、天板１２と上前板１３との間に第１、第２スピーカ３、４のうち、少なくとも第２スピーカ４の音が放音される隙間Ｓが設けられている状態で、天板１２の下側及び上前板１３の後側で、天板１２及び上前板１３に取り付けられている取付部材１４と、を備えている。従って、隙間Ｓを一対の側板１１間の全長に亘って設けているので、放音効果を確保することができると共に、隙間Ｓを一対の側板１１間の全長に亘って設けても、複数の取付部材１４によって天板１２の下面に対する上前板１３の取付強度を確保することができる。【選択図】        図３
2019113769.tif 000002
【特許請求の範囲】
【請求項１】
スピーカの上側に配置されている上側部材と、
前記スピーカの前側かつ前記上側部材の下側に配置されている前側部材と、
前記上側部材と前記前側部材の間に前記スピーカの音が放音される隙間が設けられている状態で、前記上側部材の下側及び前記前側部材の後側で、前記上側部材及び前記前側部材に取り付けられている取付部材と、
を備えることを特徴とする電子楽器。
【請求項２】
請求項１に記載の電子楽器において、前記前側部材と前記取付部材の間に、前記隙間を放音可能に塞ぐ放音部材、を備えていることを特徴とする電子楽器。
【請求項３】
請求項２に記載の電子楽器において、前記上側部材の下面に、前記放音部材の上部が配置される溝が、前記前側部材の内面に沿って設けられていることを特徴とする電子楽器。
【請求項４】
請求項１〜請求項３のいずれかに記載の電子楽器において、前記取付部材は、前記上側部材の下面に取り付けられる第１取付片と、前記前側部材の内面に取り付けられる第２取付片と、前記第１取付片及び前記第２取付片が前記上側部材及び前記前側部材にそれぞれ取り付けられている状態で前記上側部材及び前記前側部材を保持している保持部と、を備えていることを特徴とする電子楽器。
【請求項５】
請求項４に記載の電子楽器において、前記第２取付片は、前記上側部材の下面から前記隙間に対応する間隔を隔てて前記保持部に設けられており、前記第１取付片は、前記上側部材の前記溝部を避けて前記保持部に設けられていることを特徴とする電子楽器。
【請求項６】
請求項１〜請求項５のいずれかに記載の電子楽器において、鍵盤を開閉可能に塞ぎ、前記鍵盤が開かれた際にケース内に収納される開閉蓋、を備えていることを特徴とする電子楽器。
【請求項７】
請求項６に記載の電子楽器において、前記ケースの内部は、前記開閉蓋によって、下部音響空間と上部音響空間とに仕切られることを特徴とする電子楽器。
【請求項８】
請求項７に記載の電子楽器において、前記スピーカは、前記下部音響空間内に配置される第１スピーカと、前記上部音響空間内に配置される第２スピーカと、を備えていることを特徴とする電子楽器。
【請求項９】
請求項１〜請求項８のいずれかに記載の電子楽器において、前記上側部材の後側に、開閉可能に設けられている放音蓋、を備えることを特徴とする電子楽器。
【発明の詳細な説明】
【技術分野】
【０００１】
この発明は、電子鍵盤楽器などの電子楽器に関する。
【背景技術】
【０００２】
例えば、電子鍵盤楽器においては、特許文献１に記載されているように、スピーカを内蔵した楽器ケースの天板の前側下面に上前板を取り付けると共に、この上前板にスピーカの音を放音するためのスリットを設けた構造のものが知られている。
【先行技術文献】
【特許文献】
【０００３】
【特許文献１】特開平１０−３９８６８号公報
【発明の概要】
【発明が解決しようとする課題】
【０００４】
このような電子鍵盤楽器では、放音効果を確保するために、スリットを楽器ケースの両側に位置する一対の側板間に連続させて設けると、上前板の両端部のみを一対の側板に取り付ける構造になるため、上前板の取付強度を確保することができない。このため、楽器ケースの一対の側板間にスリットを複数に分割し、これら複数に分割された箇所の上前板を天板の下面に取り付けると、十分な放音効果が得られない。
【０００５】
この発明が解決しようとする課題は、取付強度を確保し、かつ十分な放音効果を確保できる電子楽器を提供することである。
【課題を解決するための手段】
【０００６】
この発明の一態様は、スピーカの上側に配置されている上側部材と、前記スピーカの前側かつ前記上側部材の下側に配置されている前側部材と、前記上側部材と前記前側部材の間に前記スピーカの音が放音される隙間が設けられている状態で、前記上側部材の下側及び前記前側部材の後側で、前記上側部材及び前記前側部材に取り付けられている取付部材と、を備えることを特徴とする電子楽器である。
【発明の効果】
【０００７】
この発明によれば、取付強度を確保することができると共に、十分な放音効果を確保することができる。
【図面の簡単な説明】
【０００８】
【図１】この発明を適用した電子鍵盤楽器の一実施形態を示した斜視図である。
【図２】図１に示された電子鍵盤楽器のＡ−Ａ矢視において、鍵盤部を鍵盤蓋で覆った状態を示した拡大断面図である。
【図３】図２に示された電子鍵盤楽器において、鍵盤蓋を楽器ケース内に収納した状態を示した拡大断面図である。
【図４】図２に示された電子鍵盤楽器において、天板に上前板を取付部材で取り付けた箇所の要部を示し、（ａ）はその天板および上前板を内面側から見た拡大裏面図、（ｂ）は（ａ）のＢ−Ｂ矢視において破断した状態を示した拡大斜視図である。
【図５】図４（ａ）のＢ−Ｂ矢視における拡大断面図である。
【発明を実施するための形態】
【０００９】
以下、図１〜図５を参照して、この発明を適用した電子鍵盤楽器の一実施形態について説明する。
この電子鍵盤楽器は、図１〜図３に示すように、楽器ケース１を備えている。この楽器ケース１は、前後方向と直交する横方向の長さが長いほぼ箱状に形成されている。この楽器ケース１は、内部に鍵盤部２および第１、第２スピーカ３、４が設けられているほか、鍵盤部２を開閉可能に覆う開閉蓋である鍵盤蓋５を備えている。
【００１０】
鍵盤部２は、図１〜図３に示すように、楽器ケース１内の前部側に配置された鍵盤シャーシ６と、この鍵盤シャーシ６上に配列された複数の鍵７と、を備えている。これら複数の鍵７は、白鍵７ａおよび黒鍵７ｂを有し、これらが楽器ケース１の前部上方に露出するようになっている。第１スピーカ３は、楽器ケース１内における鍵盤部２の後方に下向きに配置されている。第２スピーカ４は、楽器ケース１内における後部側の上部に前側斜め上方に向けて配置されている。
【００１１】
ところで、楽器ケース１は、図１〜図３に示すように、底板８と、この底板８の前端部に起立した設けられた前板９と、底板８の後端部に起立して設けられた後板１０と、底板８の両側に起立して設けられた一対の側板１１と、を備えている。この場合、後板１０は、その高さが前板９の高さよりも高く形成されている。
【００１２】
一対の側板１１は、図１〜図３に示すように、楽器ケース１の前後方向の中間部よりも後部側が後板１０の高さと同じ高さで、楽器ケース１の前後方向の中間部よりも前部側の高さが前板９の高さよりも少し高い高さで形成されている。この場合、一対の側板１１は、楽器ケース１の前後方向の中間部に段差部１１ａが設けられ、この段差部１１ａよりも前側の上部が前下りに傾斜した構造になっている。
【００１３】
また、この楽器ケース１は、図２〜図５に示すように、一対の側板１１の後部側の上部に架け渡された上側部材である天板１２と、この天板１２の前端部の下面に配置される前側部材である上前板１３と、この上前板１３を天板１２の下面に隙間Ｓをもって取り付ける複数の取付部材１４と、これら複数の取付部材１４によって上前板１３の内面に取り付けられて隙間Ｓを放音可能に塞ぐ放音ネット１５と、を備えている。
【００１４】
この場合、上前板１３と天板１２との間の隙間Ｓは、図２〜図５に示すように、第２スピーカ４の音を放音する放音空間である。このため、上前板１３は、図１〜図３に示すように、上下方向の長さ（高さ）が一対の側板１１の段差部１１ａの上下方向の長さよりも短い長さ（高さ）で、上下方向と直交する幅方向の長さが一対の側板１１間の長さと同じ長さの帯板状に形成されている。
【００１５】
これにより、上前板１３は、図１〜図３に示すように、一対の側板１１間に配置された状態で、複数の取付部材１４によって天板１２の下面に隙間Ｓをもって取り付けられている。また、この上前板１３の内面には、図４および図５に示すように、放音ネット１５を介して複数の取付部材１４が所定間隔で取り付けられている。
【００１６】
放音ネット１５は、図４および図５に示すように、上下方向の長さが上前板１３の上下方向の長さのほぼ半分の長さで、前後方向と直交する幅方向の長さが上前板１３と同じ長さに形成されている。この場合、放音ネット１５は、その上端部１５ａが上前板１３と天板１２との隙間Ｓよりも上方に長く突出して貼り付けられて仮固定され、この状態で複数の取付部材１４によって上前板１３の内面に取り付けられている。
【００１７】
このため、天板１２の下面には、図４および図５に示すように、上前板１３と天板１２との隙間Ｓよりも上方に長く突出した放音ネット１５の上端部１５ａが挿入されて配置される溝部１６が、上前板１３の内面に沿って設けられている。
【００１８】
すなわち、この溝部１６は、図４および図５に示すように、その深さが上前板１３と天板１２との間の隙間Ｓよりも上方に突出した放音ネット１５の上端部１５ａの長さよりも長い深さで形成されている。また、この溝部１６は、天板１２の前後方向の溝幅が深さとほぼ同じ長さで、断面形状が四角形に形成されていることにより、放音ネット１５の厚みよりも十分に広い大きさで形成されている。
【００１９】
これにより、放音ネット１５は、図４および図５に示すように、上前板１３の内面に複数の取付部材１４によって取り付けられた状態で、複数の取付部材１４によって上前板１３を天板１２の下面に隙間Ｓをもって取り付ける際に、天板１２の下面に放音ネット１５の厚みよりも溝幅が広い溝部１６内に放音ネット１５の上端部１５ａが挿入されるようになっている。
【００２０】
また、この放音ネット１５は、図４および図５に示すように、その上端部１５ａが溝部１６内に挿入された状態で、天板１２に対して上前板１３を前側にずらして位置決めされることにより、放音ネット１５の上端部１５ａが溝部１６内の前側面に押し当てられて、隙間Ｓを塞ぐようになっている。
【００２１】
この場合、複数の取付部材１４それぞれは、図４および図５に示すように、天板１２と上前板１３とを保持する保持部１７と、天板１２の下面に取り付けられる第１取付片１８と、上前板１３の内面に取り付けられる第２取付片１９と、を備え、これらがステンレスなどの金属板によって一体に形成されている。保持部１７は、上辺部が天板１２の下面に配置され、側辺部が上前板１３の内面に配置されるほぼ直角三角形の板状に形成されている。
【００２２】
第１取付片１８は、図４および図５に示すように、天板１２の下面と平行になるように、保持部１７の上辺部に直角に折り曲げられたほぼ長方形の板状に形成され、ねじ２０によって天板１２の下面に取り付けられている。第２取付片１９は、上前板１３の内面と平行になるように、保持部１７の側辺部に直角に折り曲げられたほぼ長方形の板状に形成され、ねじ２０によって上前板１３の内面に放音ネット１５を介して取り付けられている。
【００２３】
この場合、第１取付片１８は、図４および図５に示すように、天板１２の下面に設けられた溝部１６を避けて保持部１７の上辺部に設けられている。これにより、第１取付片１８は、天板１２の溝部１６を塞ぐことなく、天板１２の下面に取り付けられるようになっている。第２取付片１９は、天板１２の下面から隙間Ｓに対応する間隔を隔てて保持部１７の側辺部に設けられている。これにより、第２取付片１９は、天板１２と上前板１３との間の隙間Ｓを遮ることなく、上前板１３の内面に取り付けられている。
【００２４】
また、天板１２と上前板１３との間の隙間Ｓに対する箇所の保持部１７の角部には、図４および図５に示すように、切欠き部１７ａが天板１２と上前板１３との間の隙間Ｓと天板１２の溝部１６とに対応して設けられている。これにより、保持部１７の角部は、切欠き部１７ａによって天板１２と上前板１３との間の隙間Ｓと天板１２の溝部１６とを遮らないようになっている。
【００２５】
一方、鍵盤蓋５は、図２および図３に示すように、鍵盤部２の上側を開閉可能に覆う平板であり、ガイドレール（図示せず）によってガイドされて天板１２の下側に移動して楽器ケース１内に収納されるようになっている。すなわち、この鍵盤蓋５は、前端下部と後端下部とにガイドローラ５ａ（後端下部のガイドローラは図示せず）が設けられ、これらガイドローラ５ａがガイドレールに沿って移動するようになっている。
【００２６】
これにより、鍵盤蓋５は、図２に示すように、楽器ケース１の前側に向けて引き出された際に、鍵盤蓋５の前端下部のガイドローラ５ａが前板９上に位置するガイドレールの前端部に位置し、鍵盤蓋５の後端下部のガイドローラ（図示せず）が上前板１３の下側に位置するガイドレールのほぼ中間部に位置するようになっている。これにより、鍵盤蓋５は、鍵盤部２の上方に前下りに傾斜した状態で配置されて、鍵盤部２を覆って楽器ケース１の前側開放部を塞ぐようになっている。
【００２７】
また、この鍵盤蓋５は、図３に示すように、楽器ケース１の後部側に向けて押し込まれた際に、鍵盤蓋５の前端下部のガイドローラ５ａが上前板１３の下側に位置するガイドレールのほぼ中間部に位置し、鍵盤蓋５の後端下部のガイドローラ（図示せず）が後板１０の近傍に位置するガイドレールの後端部に位置するようになっている。これにより、鍵盤蓋５は、上前板１３の下側を通して天板１２の下方に天板１２とほぼ平行な状態で配置されて、楽器ケース１内に収納されるようになっている。
【００２８】
この場合、楽器ケース１の内部は、図３に示すように、鍵盤蓋５が天板１２とほぼ平行な状態で収納された際に、鍵盤蓋５によって下部音響空間Ｅ１と上部音響空間Ｅ２とに仕切られる。すなわち、下部音響空間Ｅ１は、鍵盤蓋５の下側に位置して、底板８と前板９と後板１０と一対の側板１１と鍵盤蓋５とで囲われた空間である。上部音響空間Ｅ２は、鍵盤蓋５の上側に位置して、鍵盤蓋５と上前板１３と後板１０と天板１２とで囲われた空間である。
【００２９】
下部音響空間Ｅ１内における左右両側、つまり楽器ケース１の前後方向と直交する幅方向の両側には、図３に示すように、第１スピーカ３がそれぞれ配置されている。すなわち、第１スピーカ３は、メインスピーカであり、底板８上に下向きに取り付けられている。この場合、底板８における左右両側、つまり楽器ケース１の前後方向と直交する幅方向の両側には、円形状の第１放音孔８ａが第１スピーカ３にそれぞれ対応して設けられている。
【００３０】
上部音響空間Ｅ２内における左右両側、つまり楽器ケース１の前後方向と直交する幅方向の両側には、図３に示すように、第２スピーカ４がそれぞれ配置されている。この第２スピーカ４は、ツイータなどのサブスピーカであり、後板１０に取付金具１０ａによって前側斜め上方に向けてそれぞれ取り付けられている。
【００３１】
一方、天板１２は、図１〜図３に示すように、補助天板２１を備えている。この補助天板２１は、天板１２の後部側に天板１２よりも一段低い高さで設けられている。この補助天板２１の後端部には、放音蓋２２が複数の蝶番２３によって開閉可能に取り付けられている。この放音蓋２２は、補助天板２１上に配置された際に、その上面が天板１２の上面とほぼ同一平面上に配置されるようになっている。
【００３２】
また、この放音蓋２２は、図１〜図３に示すように、複数の蝶番２３を中心に回転して、前上がりに傾斜して起立した際に、補助天板２１上に設けられたスタンド２４によって支持されるようになっている。この場合、補助天板２１の左右両側、つまり楽器ケース１の前後方向と直交する幅方向の両側には、第２放音孔２１ａが第２スピーカ４にそれぞれ対応して設けられている。
【００３３】
次に、このような電子鍵盤楽器の作用について説明する。
この電子鍵盤楽器で演奏する場合には、まず、鍵盤蓋５をスライドさせて楽器ケース１内に収納すると共に、放音蓋２２を開いてスタンド２４で保持させる。すなわち、鍵盤蓋５を楽器ケース１内に収納する際には、鍵盤蓋５の前端部を持ち上げて楽器ケース１の後部側に向けてスライドさせる。
【００３４】
このときには、鍵盤蓋５の前端下部と後端下部との各ガイドローラ５ａがガイドレール（図示せず）に沿って移動する。そして、鍵盤蓋５が上前板１３の下側を通して移動し、鍵盤蓋５の前端下部のガイドローラ５ａを上前板１３の下側に位置するガイドレールのほぼ中間部に位置させ、鍵盤蓋５の後端下部のガイドローラ（図示せず）を後板１０の近傍に位置するガイドレールの後端部に位置させる。
【００３５】
これにより、鍵盤蓋５が天板１２の下方に天板１２とほぼ平行な状態で配置されて、楽器ケース１内に収納される。このため、楽器ケース１の前部側が開放されて鍵盤部２が露出される。この状態では、楽器ケース１の内部が鍵盤蓋５によって上下に仕切られることにより、鍵盤蓋５の下側に下部音響空間Ｅ１が設けられると共に、鍵盤蓋５の上側に上部音響空間Ｅ２が設けられる。
【００３６】
一方、放音蓋２２を開いてスタンド２４で保持させる際には、複数の蝶番２３を支点として放音蓋２２を回転させて前上りに傾斜させて起立させる。この状態で、スタンド２４によって放音蓋２２を前上りに傾斜させた状態で保持する。これにより、補助天板２１の左右両側に設けられた第２放音孔２１ａが開放される。
【００３７】
この状態では、鍵盤部２の複数の鍵７を押鍵操作して演奏することができる。すなわち、複数の鍵７を押鍵操作すると、その押鍵操作に応じた楽音が第１、第２スピーカ３、４から放音される。この場合、下部音響空間Ｅ１内に配置された第１スピーカ３で発生した楽音は、底板８の第１放音孔８ａから楽器ケース１の下側に放音される。
【００３８】
また、この第１スピーカ３の上部から放出された一部の楽音は、楽器ケース１内に収納された鍵盤蓋５と鍵盤部２との間を通して楽器ケース１の前側斜め上方に放出される。また、第１スピーカ３の上部から放出された他の一部の楽音は、鍵盤蓋５の後端部と後板１０との間を通して上部音響空間Ｅ２に放出され、この放出された楽音が補助天板２１の第２放音孔２１ａから楽器ケース１の前側斜め上方に向けて放出される。
【００３９】
一方、上部音響空間Ｅ２内に配置された第２スピーカ４で発生した一部の楽音は、上前板１３に設けられた放音ネット１５を通して天板１２と上前板１３との間の隙間Ｓから楽器ケース１の前側に向けて放音される。また、第２スピーカ４で発生した他の一部の楽音は、補助天板２１の第２放音孔２１ａから楽器ケース１の前側斜め上方に向けて放出される。
【００４０】
この場合、天板１２と上前板１３との間の隙間Ｓは、一対の側板１１間の全長に亘って設けられており、複数の取付部材１４は、各第２取付片１９が隙間Ｓを塞ぐことなく設けられているので、天板１２と上前板１３との間の隙間Ｓの全域から楽音が効率良く放音される。このため、天板１２と上前板１３との間の隙間Ｓによって放音効果が確保される。
【００４１】
すなわち、取付部材１４は、保持部１７が板状に形成され、その厚み方向の表裏面に沿って楽音が通過し、かつ第２取付片１９が天板１２の下面から隙間Ｓに対応する間隔を隔てて上前板１３の内面に取り付けられていることにより、第２取付片１９が天板１２と上前板１３との間の隙間Ｓを遮ることない。このため、天板１２と上前板１３との間の隙間Ｓから第２スピーカ４の音が良好に放音させるので、放音効率が高められる。
【００４２】
また、取付部材１４の保持部１７の角部には、切欠き部１７ａが隙間Ｓに対応して設けられていることにより、保持部１７の角部が切り欠き部１７ａによって隙間Ｓを遮ることがない。このため、これによっても、天板１２と上前板１３との間の隙間Ｓの全域から楽音が効率良く放音されるので、天板１２と上前板１３との間の隙間Ｓによって放音効果が確保される。
【００４３】
このように、この電子鍵盤楽器によれば、第１、第２スピーカ３、４の上側に配置されている上側部材である天板１２と、第１、第２スピーカ３、４の前側でかつ天板１２の下側に配置されている前側部材である上前板１３と、天板１２と上前板１３との間に第１、第２スピーカ３、４のうち、少なくとも第２スピーカ４の音が放音される隙間Ｓが設けられている状態で、天板１２の下側及び上前板１３の後側で、天板１２及び上前板１３に取り付けられている取付部材１４と、を備えていることにより、簡単な構造で、取付強度を確保することができると共に、十分な放音効果を確保することができる。
【００４４】
すなわち、この電子鍵盤楽器では、取付部材１４によって上前板１３を天板１２の下面に隙間Ｓをもって取り付けているので、上前板１３にスリットを切削加工などの加工によって設ける必要がないため、上前板１３の製作が容易にできる。また、隙間Ｓを一対の側板１１間の全長に亘って設けても、複数の取付部材１４によって上前板１３を天板１２の下面に取り付けることができるので、取付強度を確保することができると共に、隙間Ｓを一対の側板１１間の全長に亘って設けていることができるので、放音効果を確保することができる。
【００４５】
この場合、この電子鍵盤楽器では、上前板１３と取付部材１４との間に隙間Ｓを放音可能に塞ぐ放音部材である放音ネット１５、を備えていることにより、この放音ネット１５を通して上前板１３と天板１２との間の隙間Ｓから第２スピーカ４の音を放音させることができると共に、放音ネット１５によって上前板１３と天板１２との間の隙間Ｓを放音可能に確実にかつ良好に塞ぐことができる。
【００４６】
このため、この電子鍵盤楽器では、放音ネット１５によって上前板１３と天板１２との間の隙間Ｓからゴミなどの異物の侵入を防ぐことができると共に、隙間Ｓを通して楽器ケース１の内部が見えないように隠すことができるので、外観的にもデザイン的にも好ましいものを提供することができる。
【００４７】
また、この電子鍵盤楽器では、天板１２の下面に、放音ネット１５の上端部１５ａが挿入されて配置される溝部１６が、上前板１３の内面に沿って設けられていることにより、上前板１３を天板１２の下面に隙間Ｓをもって取り付ける際に、放音ネット１５の上端部１５ａを溝部１６に挿入させることができる。このため、放音ネット１５が天板１２の下面に当接して折れ曲がることないので、放音ネット１５を確実にかつ良好に設置することができ、これにより放音ネット１５の取付作業を向上させることができる。
【００４８】
この場合、天板１２の溝部１６は、その深さが上前板１３と天板１２との間の隙間Ｓよりも上方に突出した放音ネット１５の上端部１５ａの長さよりも深く、かつ溝幅が深さとほぼ同じ長さで、断面形状が四角形状に形成され、これにより放音ネット１５の厚みよりも十分に広い大きさで形成されているため、上前板１３を天板１２の下面に隙間Ｓをもって取り付ける際に、放音ネット１５の上端部１５ａを溝部１６内に確実にかつ良好に挿入させることができる。
【００４９】
このため、この電子鍵盤楽器では、上前板１３を天板１２の下面に隙間Ｓをもって取り付ける際に、放音ネット１５の上端部１５ａを溝部１６内に挿入させた状態で、天板１２に対して上前板１３を前側にずらして位置決めすることができる。このため、放音ネット１５の上端部１５ａを溝部１６内の前面に確実に押し当てることができるので、放音ネット１５によって上前板１３と天板１２との間の隙間Ｓを確実にかつ良好に塞ぐことができ、これによりデザイン性を更に向上させることができる。
【００５０】
また、この電子鍵盤楽器では、取付部材１４が、天板１２の下面に取り付けられる第１取付片１８と、上前板１３の内面に取り付けられる第２取付片１９と、第１取付片１８及び第２取付片１９が天板１２および上前板１３にそれぞれ取り付けられている状態で天板１２と上前板１３とを保持する保持部１７と、を備えていることにより、取付部材１４の保持部１７によって上前板１３を天板１２の下面に隙間Ｓをもって確実にかつ強固に保持して取り付けることができる。
【００５１】
すなわち、取付部材１４は、予め、第２取付片１９を上前板１３の内面に取り付けて上前板の上側に第１取付片１８を隙間Ｓだけ突出させ、この状態で第１取付片１８を天板１２の下面に取り付ける際に、天板１２に対して上前板１３を前側にずらして位置決めすることができる。このため、上前板１３を天板１２の下面に隙間Ｓをもって正確にかつ精度良く取り付けることができると共に、保持部１７によって天板１２と上前板１３とを強固に保持して取り付けることができる。
【００５２】
この場合、第２取付片１９は、天板１２の下面から隙間Ｓに対応する間隔を隔てて保持部１７に設けられていることにより、第２取付片１９が天板１２と上前板１３との間の隙間Ｓを遮ることないので、天板１２と上前板１３との間の隙間Ｓから第２スピーカ４の音を良好に放音させることができ、これにより放音効率を高めることができる。
【００５３】
また、第１取付片１８は、天板１２の下面に設けられた溝部１６を避けて保持部１７に設けられていることにより、第１取付片１８が天板１２の溝部１６を塞ぐことないので、放音ネット１５の上端部１５ａを溝部１６内に確実にかつ良好に挿入させることができる。
【００５４】
この場合、取付部材１４は、天板１２と上前板１３との間の隙間Ｓに対する箇所の保持部１７の角部に、切欠き部１７ａが天板１２の溝部１６に対応して設けられているので、保持部１７の角部が天板１２と上前板１３との間の隙間Ｓを遮ることない。このため、これによっても放音効率を高めることができる。
【００５５】
また、この電子鍵盤楽器では、楽器ケース１内の鍵盤部２を開閉可能に塞ぎ、かつ鍵盤部２が開放されて楽器ケース１内に収納される開閉蓋である鍵盤蓋５を備えていることにより、楽器ケース内の前部側に鍵盤部２を設けても、楽器ケース１の前板９と上前板１３との間を鍵盤蓋５で塞ぐことができるので、この鍵盤蓋５で鍵盤部２を覆って良好に保護することができる。
【００５６】
また、楽器ケース１は、天板１２の下側に収納された鍵盤蓋５によって、楽器ケース１の内部を下部音響空間Ｅ１と上部音響空間Ｅ２とに仕切ることができるので、音響効果を高めることができる。すなわち、下部音響空間Ｅ１は、その内部に配置された第１スピーカ３で発生した音の音圧を高めることができる。また、上部音響空間Ｅ２は、その内部配置された第２スピーカ４で発生した音の音圧を高めることができる。これにより、第１、第２スピーカ３、４の音響性能を高めることができる。
【００５７】
この場合、この電子鍵盤楽器では、下部音響空間Ｅ１内に第１スピーカ３が下向きに配置されていることにより、第１スピーカ３で発生した音を楽器ケース１の底板８の第１放音孔８ａから楽器ケース１の下側に良好に放音させることができると共に、楽器ケース１内に収納された鍵盤蓋５と鍵盤部２との間を通して楽器ケース１の前側斜め上方にも放音させることができる。
【００５８】
また、この電子鍵盤楽器では、上部音響空間Ｅ２内に第２スピーカ４が前側斜め上方に向けて配置されていることにより、第２スピーカ４で発生した音を天板１２と上前板１３との間の隙間Ｓから楽器ケース１の前側に向けて良好に放音させることができる。この場合、天板１２の後側には、放音蓋２２が開閉可能に設けられているので、この放音蓋２２を開くことにより、第２スピーカ４で発生した音を楽器ケース１の前側斜め上方に向けて放音させることができる。
【００５９】
すなわち、天板１２は、左右両側に第２放音孔２１ａが設けられた補助天板２１を備え、この補助天板２１上に放音蓋２２が開閉可能に設けられているので、放音蓋２２を開いて補助天板２１の第２放音孔２１ａを開放させることがき、この第２放音孔２１ａから第２スピーカ４で発生した音を楽器ケース１の前側斜め上方に向けて確実にかつ良好に放音させることができる。
【００６０】
なお、上述した実施形態では、電子鍵盤楽器に適用した場合について述べたが、この発明は、必ずしも電子鍵盤楽器である必要はなく、例えばスピーカを備えた電子楽器、または音響機器などの電子機器にも適用することができる。
【００６１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６２】
（付記）
請求項１に記載の発明は、スピーカの上側に配置されている上側部材と、前記スピーカの前側かつ前記上側部材の下側に配置されている前側部材と、前記上側部材と前記前側部材の間に前記スピーカの音が放音される隙間が設けられている状態で、前記上側部材の下側及び前記前側部材の後側で、前記上側部材及び前記前側部材に取り付けられている取付部材と、を備えることを特徴とする電子楽器である。
【００６３】
請求項２に記載の発明は、請求項１に記載の電子楽器において、前記前側部材と前記取付部材の間に、前記隙間を放音可能に塞ぐ放音部材、を備えていることを特徴とする電子楽器である。
【００６４】
請求項３に記載の発明は、請求項２に記載の電子楽器において、前記上側部材の下面に、前記放音部材の上部が配置される溝が、前記前側部材の内面に沿って設けられていることを特徴とする電子楽器である。
【００６５】
請求項４に記載の発明は、請求項１〜請求項３のいずれかに記載の電子楽器において、前記取付部材は、前記上側部材の下面に取り付けられる第１取付片と、前記前側部材の内面に取り付けられる第２取付片と、前記第１取付片及び前記第２取付片が前記上側部材及び前記前側部材にそれぞれ取り付けられている状態で前記上側部材及び前記前側部材を保持している保持部と、を備えていることを特徴とする電子楽器である。
【００６６】
請求項５に記載の発明は、請求項４に記載の電子楽器において、前記第２取付片は、前記上側部材の下面から前記隙間に対応する間隔を隔てて前記保持部に設けられており、前記第１取付片は、前記上側部材の前記溝部を避けて前記保持部に設けられていることを特徴とする電子楽器である。
【００６７】
請求項６に記載の発明は、請求項１〜請求項５のいずれかに記載の電子楽器において、鍵盤を開閉可能に塞ぎ、前記鍵盤が開かれた際にケース内に収納される開閉蓋、を備えていることを特徴とする電子楽器である。
【００６８】
請求項７に記載の発明は、請求項６に記載の電子楽器において、前記ケースの内部は、前記開閉蓋によって、下部音響空間と上部音響空間とに仕切られることを特徴とする電子楽器である。
【００６９】
請求項８に記載の発明は、請求項７に記載の電子楽器において、前記スピーカは、前記下部音響空間内に配置される第１スピーカと、前記上部音響空間内に配置される第２スピーカと、を備えていることを特徴とする電子楽器である。
【００７０】
請求項９に記載の発明は、請求項１〜請求項８のいずれかに記載の電子楽器において、前記上側部材の後側に、開閉可能に設けられている放音蓋、を備えることを特徴とする電子楽器である。
【符号の説明】
【００７１】
１  楽器ケース
２  鍵盤部
３、４  第１、第２スピーカ
５  鍵盤蓋
８  底板
９  前板
１０  後板
１１  側板
１２  天板
１３  上前板
１４  取付部材
１５  放音ネット
１５ａ  上端部
１６  溝部
１７  保持部
１８  第１取付片
１９  第２取付片
２０  ねじ
２１  補助天板
２１ａ  第２放音孔
２２  放音蓋
Ｓ  隙間
Ｅ１  下部音響空間
Ｅ２  上部音響空間
【図１】
2019113769.tif 000003
【図２】
2019113769.tif 000004
【図３】
2019113769.tif 000005
【図４】
2019113769.tif 000006
【図５】
2019113769.tif 000007